(57)【特許請求の範囲】
【請求項１】
親扉とその子扉開口に吊り支持した子扉を備え、子扉開口内周と子扉外周間に気密措置を施した子扉付き鋼製ドアであって、横幅を上記親扉用とした室内外2枚のドア鋼板を用い、該ドア鋼板に打抜き乃至打抜きと折曲の加工を施して形成した加工鋼板により、少なくとも見付面を含め親扉と子扉を実質的に被覆してなり、
室内の前記ドア鋼板が、縦１９１ｃｍ以上１９３ｃｍ以下、横８１ｃｍ以上８３ｃｍ以下、にして、面内に縦１７０ｃｍ、横５０ｃｍの開口を形成した親扉室内側用矩形鋼板と、該開口の形成によって得られた、縦１６９ｃｍ以上１７１ｃｍ以下、横４８ｃｍ以上５０ｃｍ以下の子扉室内側用矩形鋼板と、を備え、室外の前記ドア鋼板が、縦１９６ｃｍ以上１９８ｃｍ以下、横８５．６ｃｍ以上８７．６ｃｍ以下、にして、面内に縦１６５ｃｍ、横４２ｃｍの開口を形成した親扉室外側用矩形鋼板と、該開口の形成によって得られた、縦１６３ｃｍ、横４１ｃｍの子扉室外側用矩形鋼板と、を備えることを特徴とする子扉付き鋼製ドア。
【請求項２】
上記ドア鋼板を、横幅を規格寸法とし、縦長さをユーザー指定寸法とするメーカー規格のドア鋼板によるものとしてなることを特徴とする請求項１に記載の子扉付き鋼製ドア。
【請求項３】
上記室内外２枚のドア鋼板からの加工鋼板によって、親扉及び子扉の各見付面乃至見付面と外周の見込面を実質的に被覆してなることを特徴とする請求項１又は２に記載の子扉付き鋼製ドア。
【請求項４】
上記室内外２枚のドア鋼板からの加工鋼板による被覆を、親扉における子扉開口内周の見込面を除外して行なってなることを特徴とする請求項１、２又は３に記載の子扉付き鋼製ドア。
【請求項５】
上記室内外２枚のドア鋼板からの加工鋼板の被覆を、親扉における見付面の子扉開口側の端部又はその近傍までとし、該子扉開口側の端部に装飾モールを配置することによって、該加工鋼板の上記打ち抜き加工の切断端縁を被覆してなることを特徴とする請求項１、２、３又は４に記載の子扉付き鋼製ドア。
【請求項６】
上記装飾モールを、親扉の室外側において金属製とするとともにその子扉開口の面内側に張出状に配置し、該子扉開口と子扉間の空隙を被覆してなることを特徴とする請求項５に記載の子扉付き鋼製ドア。
【発明の詳細な説明】
【技術分野】
【０００１】
本発明は、例えば、集合住宅の玄関に使用する子扉付き鋼製ドアに関する。
【背景技術】
【０００２】
この種の子扉付き鋼製ドアとして、本発明者うちの１名は、下記特許文献１によって、親扉とその子扉開口に吊り支持した子扉を備え、上記親扉の室外一方の見付面における子扉開口端に、該親扉を被覆したドア鋼板を屈曲配置した気密材受条を上記子扉開口面内張出状とし、該気密材受条に気密材を配置し、該気密材を子扉の外周端部に対接することによって親扉と子扉間の気密性を確保する気密措置とした子扉付き鋼製ドアを提案済みであり、これによれば、親扉と子扉のドア表面板は、それぞれ親扉と同寸法のドア鋼板に打抜き及び折曲の加工を施して形成したものを用いて、ドア被覆の常法に従って、親扉及び子扉の全体、即ち、全ての見付面及び見込面を被覆したものとされている。
【先行技術文献】
【特許文献】
【０００３】
【特許文献１】特願２０１０−９７３０２
【発明の概要】
【発明が解決しようとする課題】
【０００４】
この場合、親扉と子扉はドア鋼板によってその全体を被覆して外観良好な子扉付き鋼製ドアとすることができるが、親扉と子扉のドア表面板を、それぞれ親扉と同寸法のドア鋼板に打抜き及び折曲の加工を施して形成したものとするから、少なくとも親扉の子扉開口及び子扉の見込面分の寸法が増加する上、更に上記子扉開口端の気密材受条を形成する分の寸法が増加する結果、親扉用に室内外２枚、子扉用に同じく室内外２枚の、合計４枚のドア鋼板を使用して、各１枚のドア鋼板から、親扉、子扉の各室外、室内側のドア表面板を形成する必要が生じることになる。
【０００５】
即ち、鋼製の両面フラッシュドアの室内外２枚に対して、子扉付きの鋼製ドアは、子扉を備えることによって室内外４枚のドア鋼板を使用するために、ドア鋼板の枚数を２倍必要として、コストアップの要因となるとともに親扉及び子扉用に用いた各室内外２枚のドア鋼板には、それぞれ子扉用、親扉用には面積が不足するために、再利用不能な鋼板ロスが生じる結果となる。
【０００６】
本発明はかかる事情に鑑みてなされたもので、その解決課題とするところは、外観を可及的良好に確保しつつ、可及的に少ないドア鋼板を用い、該ドア鋼板を可及的有効に利用して構成した子扉付鋼製ドアを提供するにある。
【課題を解決するための手段】
【０００７】
上記課題に沿って本発明は、子扉を備えて親扉の子扉開口と子扉の外周が形成されることによってドア鋼板による被覆対象面積の増加するところ、該被覆対象面積の増加に拘らず、横浜を親扉用とした室内外２枚のドア鋼板、即ち、横幅寸法を親扉用のものとした横幅規制の室内外２枚のドア鋼板を用いて子扉付きドアの親扉と子扉を実質的に被覆することにより、外観を可及的良好に確保し、上記室内外４枚のドア鋼板を用いるものに対して使用するドア鋼板を２枚に半減してドア鋼板の可及的有効な利用を図ったものとするように、請求項１に記載の発明を、親扉とその子扉開口に吊り支持した子扉を備え、子扉開口内周と子扉外周間に気密措置を施した子扉付き鋼製ドアであって、横幅を上記親扉用とした室内外2枚のドア鋼板を用い、該ドア鋼板に打抜き乃至打抜きと折曲の加工を施して形成した加工鋼板により、少なくとも見付面を含め親扉と子扉を実質的に被覆してなり、  室内の前記ドア鋼板が、縦１９１ｃｍ以上１９３ｃｍ以下、横８１ｃｍ以上８３ｃｍ以下、にして、面内に縦１７０ｃｍ、横５０ｃｍの開口を形成した親扉室内側用矩形鋼板と、該開口の形成によって得られた、縦１６９ｃｍ以上１７１ｃｍ以下、横４８ｃｍ以上５０ｃｍ以下の子扉室内側用矩形鋼板と、を備え、室外の前記ドア鋼板が、縦１９６ｃｍ以上１９８ｃｍ以下、横８５．６ｃｍ以上８７．６ｃｍ以下、にして、面内に縦１６５ｃｍ、横４２ｃｍの開口を形成した親扉室外側用矩形鋼板と、該開口の形成によって得られた、縦１６３ｃｍ、横４１ｃｍの子扉室外側用矩形鋼板と、を備えることを特徴とする子扉付き鋼製ドアとしたものである。
【０００８】
請求項２に記載の発明は、上記に加えて、上記室内外２枚のドア鋼板を、一般に市販される規格寸法（即ち、横幅を規格寸法とし、縦長さをユーザー指定寸法としたメーカー規格を意味する。以下同じ。）のドア鋼板とすることによって、上記室内外２枚のドア鋼板を特殊寸法のものとすることなく、可及的にコストを抑制し得るものとするように、これを、上記ドア鋼板を、横幅を規格寸法とし、縦長さをユーザー指定寸法とするメーカー規格のドア鋼板によるものとしてなることを特徴とする請求項１に記載の子扉付き鋼製ドアとしたものである。
【０００９】
請求項３に記載の発明は、同じく上記に加えて、上記親扉と子扉の実質的な被覆を、見付面乃至これと外周見込面に対して行うことによって、上記室内外２枚のドア鋼板を用いつつも可及的に良好な外観を確保したものとするように、これを、上記室内外２枚のドア鋼板からの加工鋼板によって、親扉及び子扉の各見付面乃至見付面と外周の見込面を実質的に被覆してなることを特徴とする請求項１又は２に記載の子扉付き鋼製ドアとしたものである。
【００１０】
請求項４に記載の発明は、同じく上記に加えて、上記親扉と子扉の実質的な被覆を、親扉の子扉開口の内周見込面を除外して行うことによって、外観への影響を可及的に防止したものとするように、これを、上記室内外２枚のドア鋼板からの加工鋼板による被覆を、親扉における子扉開口内周の見込面を除外して行なってなることを特徴とする請求項１、２又は３に記載の子扉付き鋼製ドアとしたものである。
【００１１】
請求項５に記載の発明は、同じく上記に加えて、親扉における子扉開口の見込面にドア鋼板を折り返し被覆することなく、その見付面の子扉開口側の端部又はその近傍にドア鋼板の打ち抜きの加工による切断端縁を配置するように親扉の見付面を実質的に被覆して、ドア鋼板の可及的有効活用を図るとともに該子扉開口に装飾用のモールを配置し、該ドア鋼板の切断端部を被覆することによって、鋼製ドアとしての良好な外観と安全性を確保したものとするように、これを、上記室内外２枚のドア鋼板からの加工鋼板の被覆を、親扉における見付面の子扉開口側の端部又はその近傍までとし、該子扉開口側の端部に装飾モールを配置することによって、該加工鋼板の上記打ち抜き加工の切断端縁を被覆してなることを特徴とする請求項１、２、３又は４に記載の子扉付き鋼製ドアとしたものである。
【００１２】
請求項６に記載の発明は、同じく上記に加えて、親扉の室外側における上記装飾モールを金属製として防火性を確保するとともに子扉開口端部への配置を子扉開口面内に張出状に行うことによって、子扉の存在を感じさせない外観として防犯性を向上したものとするように、これを、上記装飾モールを、親扉の室外側において金属製とするとともにその子扉開口の面内側に張出状に配置し、該子扉開口と子扉間の空隙を被覆してなることを特徴とする請求項５に記載の子扉付き鋼製ドアとしたものである。
【発明の効果】
【００１３】
本発明は以上のとおりに構成したから、請求項１に記載の発明は、子扉を備えて親扉の子扉開口と子扉の外周が形成されることによるドア鋼板の被覆対象面積の増加に拘らず、横幅を親扉用とした室内外２枚のドア鋼板、即ち、横幅寸法を親扉用のものとした横幅規制の室内外２枚のドア鋼板を用いて子扉付ドアの親扉と子扉を実質的に被覆することにより、外観を可及的良好に確保し、上記室内外４枚のドア鋼板を用いるものに対して使用するドア鋼板を２枚に半減してドア鋼板を可及的有効に利用して構成した子扉付鋼製ドアを提供することができる。
【００１４】
請求項２に記載の発明は、上記に加えて、上記室内外２枚のドア鋼板を、一般に市販される規格寸法のドア鋼板とすることによって、上記室内外２枚のドア鋼板を特殊寸法のものとすることなく、可及的にコストを抑制したものとすることができる。
【００１５】
請求項３に記載の発明は、同じく上記に加えて、上記親扉と子扉の実質的な被覆を、見付面乃至見付面と外周見込面に対して行うことによって、上記室内外２枚のドア鋼板を用いつつも可及的に良好な外観を確保したものとすることができる。
【００１６】
請求項４に記載の発明は、同じく上記に加えて、上記親扉と子扉の実質的な被覆を、親扉の子扉開口の内周見込面を除外して行うことによって、外観への影響を可及的に防止したものとすることができる。
【００１７】
請求項５に記載の発明は、同じく上記に加えて、親扉における子扉開口の見込面にドア鋼板を折り返し被覆することなく、その見付面の子扉開口側の端部又はその近傍にドア鋼板の打ち抜きの加工による切断端縁を配置するように親扉の見付面を実質的に被覆して、ドア鋼板の可及的有効活用を図るとともに該子扉開口に装飾用のモールを配置し、該ドア鋼板の切断端部を被覆することによって、鋼製ドアとしての良好な外観と安全性を確保したものとすることができる。
【００１８】
請求項６に記載の発明は、同じく上記に加えて、親扉の室外側における上記装飾モールを金属製として防火性を確保するとともに子扉開口端部への配置を子扉開口面内に張出状に行うことによって、子扉の存在を感じさせない外観として防犯性を向上したものとすることができる。
【図面の簡単な説明】
【００１９】
【図１】子扉付き鋼製ドアの正面図である。
【図２】子扉付き鋼製ドアの縦断面図である。
【図３】子扉付き鋼製ドアの横断面図である。
【図４】図２の部分拡大図である。
【図５】図３の部分拡大図である。
【図６】室内外２枚のドア鋼板と各加工鋼板の関係を示す説明図である。
【図７】装飾モール部分の拡大断面図である。
【発明を実施するための形態】
【００２０】
以下図面の例に従って本発明を更に具体的に説明すれば、Ａは、新築用に新設ドア枠付きとし、また、改装用に既設ドア枠を用いてその既設ドアに交換的に配置することによって、甲種防火戸適合の玄関用とした子扉付き鋼製ドアであり、該子扉付き鋼製ドアＡは、親扉２とその子扉開口２３に吊り支持した子扉３を備え、子扉開口内周と子扉外周間に気密措置を施したものとしてあり、このとき、横幅を上記親扉用と同寸法の室内外２枚のドア鋼板４を用い、該ドア鋼板４に打抜き及び折曲の加工を施して形成した加工鋼板により、少なくとも見付面を含め親扉２と子扉３を実質的に被覆したものとしてあり、本例にあって、該ドア鋼板４は、これを、横幅を規格寸法とし、縦長さをユーザー指定寸法とするメーカー規格のドア鋼板によるものとしてある。
【００２１】
本例にあって、子扉付き鋼製ドアＡは、親扉２、子扉３のそれぞれに骨材２１、３１を配置し、該骨材２１、３１間に断熱乃至断熱防音材等の充填材２２、３２を充填配置し、加工鋼板によって室内外を被覆した、例えば、ドア厚を３６ｍｍ乃至４２ｍｍ、本例にあっては４２ｍｍとしたものとしてあり、このとき親扉２と新設又は既設のドア枠１間及び上記親扉２の子扉開口内周と子扉外周間にそれぞれ気密措置を施したものとしてある。本例の親扉２と新設又は既設のドア枠１間の気密措置は、親扉２の室内側外周に、該ドア枠１に室外側に向けて設置した気密材１１に対接する外周段部を配置したものとしてある。
【００２２】
また、上記親扉２の子扉開口内周と子扉外周間の気密措置は、これら子扉開口内周と子扉外周にそれぞれ相互に部分的乃至略全面的に対面する、数ｃｍ程度以下の見付幅の対面部を配置し、該対面部間に気密材２５を介設することによって、気密性を確保したものとしてあり、本例にあって該気密材２５は、親扉２の子扉開口２３端に位置するように、その対面部に配置した気密材受条２４に室内側に向けて気密材２５を配置して、子扉３の対面部に該気密材２５を対接して、その気密性を確保したものとしてある。
【００２３】
本例にあって上記対面部は、親扉２及び子扉３に配置した骨材２１、３１によってこれを形成してあり、該対面部は、骨材の厚さを薄くする、例えばドア厚の１／２乃至１／３程度に薄くするように子扉開口内周と子扉外周でその先端側を扁平化して段部を形成した対面段部をなすものとしてある。
【００２４】
このとき、親扉２の子扉開口２３側にあって、該骨材２１に、室内側に開口する断面コ字状の気密材受条２４を一体又は一体的に形成し、該気密材受条２４に気密材２５を該子扉開口２３内周囲繞状に配置して、該気密材２５を室内側に向けて配置してある。本例にあって上記気密材受条２４は、該子扉開口２３内周の骨材２１に、該骨材２１構成の鋼材を屈曲することによって該骨材２１に一体に並列して子扉開口２３側に突出するように形成してあり、このとき、上記骨材２１に一体の該気密材受条２４は、これを親扉２の見付と略面一に形成したものとしてある。
【００２５】
上記ドア鋼板４は、これに上記所定の加工を施して形成した加工鋼板によって、上記骨材２１、３１と、該骨材２１、３１間に充填配置した断熱乃至断熱防音材の充填材２２、３２を備えた親扉２と子扉３の被覆を行って子扉付き鋼製ドアＡとしてある。
【００２６】
このとき、本例の該子扉付き鋼製ドアＡは、上記室内外２枚のドア鋼板４からの加工鋼板によって、親扉２及び子扉３の各見付面乃至見付面と外周見込面を実質的に被覆したものとしてあり、このとき本例にあって、上記室内外２枚のドア鋼板４からの加工鋼板は、これを、親扉２の上記子扉開口２３内周の見込面被覆を除外するように加工したものとし、また、同じく該加工鋼板は、子扉３の室外側見付面に続く室外側の見込面被覆を除外するように加工したものとしてある。
【００２７】
即ち、これを、図６の室内外２枚のドア鋼板４と各加工鋼板の関係を示す説明図によって説明すると、本例にあって、上記親扉２を同一開口に設置する鋼製両面フラッシュドアと同等寸法、即ち、子扉のない鋼製ドアと同一面積のドア鋼板４を使用したものとしてある。
【００２８】
該ドア鋼板は、例えば、塩ビ化粧鋼板（三菱樹脂株式会社製）、エリオ化粧鋼板（大日本印刷株式会社製）、焼付塗装鋼板（日新製鋼株式会社製）等の鋼板メーカーの規格ドア表面材用の鋼板を用いてあり、このとき該ドア鋼板４は、ロールの鋼板から形成するため、横幅を、例えば９１４ｍｍの規格寸法とし、縦長さをユーザーの指定する、例えば１，９００ｍｍ、２，０００ｍｍ、２，１５０ｍｍといった寸法としたものとされるところ、本例にあっては、横幅を規格の９１４ｍｍ、縦長さを、例えば２，０００ｍｍとし、肉厚を０．６ｍｍ又は０．８ｍｍとしたものを用いて、これに、上記打ち抜きの加工、折曲の加工を施して、室内外の親扉２及び子扉３を被覆するように、加工鋼板を得たものとしてあり、このとき、上記ドア鋼板４は、予め、室内外の親扉乃至子扉用にその横幅乃至縦長さの余剰分を幾分切り落とし除去したものを用いて、該規格のドア鋼板４の範囲でその可及的な利用を図ったものとしてある。
【００２９】
室外側の上記ドア鋼板４は、上記打ち抜きの加工によって、例えば、面内に縦１６５ｃｍ、横４２ｃｍの子扉開口２３（寸法は特に記載しない限り概数。以下同じ。）を形成した加工鋼板として親扉見付面被覆用の親扉室外側用矩形鋼板４１と、縦１６３ｃｍ、横４１ｃｍの子扉２の室外側見付面被覆用の子扉室外側用矩形鋼板４２を板取りしたものとしてある。
【００３０】
該子扉開口を形成した親扉室外側用矩形鋼板４１は、その後に折曲の加工によって外周に断面L字状をなすように見込面被覆片４６を形成してあり、これによって縦１９２ｃｍ、横８１．６ｃｍ、見込面被覆片４６の立ち上がり２乃至３ｃｍ(正確には２．６ｃｍ)、裏面側への折返しを１ｃｍ(正確には１．２ｃｍ)とした、親扉室外側用のものとしてある。
【００３１】
また、子扉用の子扉室外側用矩形鋼板４２は、折曲加工を施すことなく、該矩形鋼板をそのまま使用するようにして、縦１８３ｃｍ、横３９ｃｍの子扉室外側用、特に該子扉３の室外側見付面被覆用としたものとしてある。
【００３２】
一方、室内側のドア鋼板４は、同じく打ち抜きの加工によって、例えば、中央に縦１７０ｃｍ、横５０ｃｍの子扉開口を形成した親扉見付面被覆用の親扉室内側用矩形鋼板４３と、縦１７０ｃｍ、横４９ｃｍの子扉の室内側見付面被覆用の子扉室内側用矩形鋼板４４を板取りしたものとしてある。
【００３３】
該子扉開口を形成した親扉室内側用矩形鋼板４３は、その後に折曲の加工によって外周に断面Ｉ字状をなすように見込面被覆片４６を形成してあり、これによって縦１８９ｃｍ、横７９ｃｍ、見込面被覆片４６の立ち上がり１乃至２ｃｍ（正確には１．４ｃｍ）とした、親扉室内側用のものとしてある。
【００３４】
また、子扉用の子扉室内側用矩形鋼板４４は、同じくその後の折曲の加工によって外周の縦側の一端を除くその余の３端に断面L字状をなすように同じく見込面被覆片４６を形成してあり、これによって縦１６７ｃｍ、横４６ｃｍ、見込面被覆片の立ち上がり１〜２ｃｍ(正確には１．５ｃｍ)とした、子扉室内側用のものとしてある。
【００３５】
このように形成した室内外２枚のドア鋼板４からの加工鋼板は、これを、親扉２、子扉３の該当箇所に配置して、その被覆を行うものとし、このとき、上記親扉２の上記子扉開口２３内周の見込面被覆を除外し、また、子扉３の室外側見付面に続く外周の見込面被覆を除外するように配置することによって、該室内外２枚のドア鋼板４によって子扉付き鋼製ドアＡの被覆を完結的に行うものとしてある。
【００３６】
子扉付き鋼製ドアＡの被覆は、室外側のドア鋼板４からの加工鋼板を親扉２及び子扉３の室外側に、室内側のドア鋼板４からの加工鋼板を親扉２及び子扉３の室内側にそれぞれ配置してこれを行うものとしてある。
【００３７】
即ち、室外側のドア鋼板４からの親扉室外側用矩形鋼板４１は、親扉２の室外側見付面及びその断面Ｌ字状をなす見込面被覆片４６によって親扉２の外周見込面、本例にあっては、上記ドア枠１の気密材１１に対接する外周段部、特にその外周見込面とこれに交差する短幅の交差見付面を被覆するものとしてある。
【００３８】
また、子扉室外側用矩形鋼板４２は、子扉３の室外側見付面を被覆し、本例にあってその見付面の被覆を省略したものとしてある。
【００３９】
これに対して、室内側のドア鋼板４からの親扉室内側用矩形鋼板４３は、親扉２の室内側見付面及びその断面Ｉ字状をなす見込面被覆片４６によって親扉２の外周見込面、本例にあっては、上記外周段部、特にその上記ドア枠の気密材１１突出方向に平行な短幅の見込面を被覆するものとしてある。
【００４０】
また、子扉室内側用矩形鋼板４４は、子扉３の室内側見付面及びその一端、本例にあって吊元側を短寸とした外周の断面Ｌ字状の見込面被覆片４６によって該子扉３の外周３つの見込面、本例にあっては、親扉２に対する吊元側の見込面を除き、短寸の折返し片によって端部処理を行うとともに戸先側及び上下の見込面を、本例にあっては、上記子扉３の外周の外周段部における親扉２の子扉開口２３に配置した気密材２５に対接する外周段部、特にその外周見込面とこれに交差する短幅の交差見付面を被覆するものとしてある。
【００４１】
このとき、親扉室外側用矩形鋼板４１は、親扉２の子扉開口２３にあって、該矩形鋼板４１の端縁が、子扉開口２３端部乃至その近傍に位置するように配置することによって、該子扉開口２３の見込面、本例にあってはその骨材２１の見込面に至ることなく、該見込面を被覆することのないようにしてあり、本例における該矩形鋼板４１の端縁は、これを子扉開口２３端部近傍、即ち、本例で用いた骨材２１の端部近傍、換言すれば、該骨材２１の見付面における上記気密材受条２４を除く、例えば子扉開口２３端部の開口端から１ｃｍ程見付面側に変位した位置までとしてある。
【００４２】
また、親扉室内側用矩形鋼板４３は、同じく親扉２の子扉開口２３にあって、該矩形鋼板４３の端縁が、子扉開口２３端部乃至その近傍に位置するように配置することによって、該子扉開口２３の見込面、本例にあってはその骨材２１の見込面に至ることなく、該見込面を被覆することのないようにしてあり、本例における該矩形鋼板４３の端縁は、これを、同じく子扉開口２３端部近傍、即ち、本例で用いた骨材２１の見付面の端部近傍、換言すれば、該見付面中間の開口端から１ｃｍ程度の変位した位置までとしてある。
【００４３】
このとき、親扉２における該子扉開口２３側の端部に装飾モール５を配置することによって、該矩形鋼板４１、４３の上記打ち抜き加工の切断端縁を被覆したものとしてあり、これによって子扉付鋼製ドアＡの室内外の良好な外観及び安全性を確保するようにしてあり、また、上記装飾モール５を、親扉２の室外側において金属製とするとともにその子扉開口２３の面内側に張出状に配置し、子扉３の外周端部に至って、本例にあって、室外側の見付面に続く見込面被覆を省略した子扉３の外周の切断面目隠しの端部処理を兼用するように、該子扉開口２３と子扉３間の空隙を被覆したものとしてあり、これによって防火性を確保し、また、装飾モール５を付した両面フラッシュドアと同様な外観として、親扉２と子扉３が存在し且つ子扉３が開閉する形態のものであることを室外側から判別し難くして、防犯性を向上確保したものとすることができるようにしてある。
【００４４】
装飾モール５は、本例にあって室内側においても同様に金属製としてあり、これら金属製の装飾モール５は、例えばアルミ押出材製の帯状、例えば１〜２ｃｍ程度の幅の帯状のものとするとともに該装飾モール５は、これに、その表面において装飾模様、例えば帯状凹凸面による装飾模様を配置する一方、裏面の子扉開口側乃至その中間位置に見付面対接面を配置し且つその見付面の面内側に上記加工鋼板の端部を見付面、本例にあっては骨材２１との間で挟持する鋼板肉厚に応じた鋼板受入段部５１を配置したものとしてある。
【００４５】
該装飾モール５は、上記鋼板受入段部５１に各矩形鋼板４１、４３の端部を受入挟持して、上記子扉開口２３の端部に、室外側において子扉開口２３側に張出状に突出し、室内側において該端部から突出することなく、これによって子扉３の開閉を阻害しないように、それぞれ接着等の固定手段によって固定することによって納まりよく親扉に配置してある。
【００４６】
以上のように構成した子扉付き鋼製ドアＡは、特に、親扉２室外側用、親扉２室内側用の矩形鋼板４１、４３の配置を、子扉開口２３端部乃至その近傍までとすることによって、規格のドア鋼板４を用いながら、親扉２及び子扉３の室外側及び室内側の実質的被覆を行い、上記規格のドア鋼板４にあって、その寸法を定められている横幅の寸法内で親扉２と子扉３の双方の被覆を完結的に可能としたものとしてある。
【００４７】
本例にあって上記予め切り落とし除去した横幅の余剰分は、室内外のドア鋼板４にあって各数ｃｍ乃至それ以下としてドア鋼板４の使用を可及的有効に行う一方、規格のドア鋼板４の長さは、余裕を持った寸法を指定できるところ、本例にあっては最低の２，０００ｍｍのものを用いて、同様に親扉２と子扉３の外周側の被覆を有効かつ適切に行うことができる。
【００４８】
従って、子扉付き鋼製ドアＡは、親扉２の子扉開口２３と子扉３の外周が形成されることによるドア鋼板の被覆対象面積の増加に拘らず、横幅を親扉用とした室内外２枚のドア鋼板４を用いて子扉付きドアＡの親扉２と子扉３を実質的に被覆することにより、外観を可及的良好に確保して、従来４枚を必要としたドア鋼板を、半減の２枚として、ドア鋼板４の極限的な有効利用を図ることができる。
【００４９】
また、親扉２の被覆について、その矩形鋼板４１、４３の端縁が、子扉開口端部乃至その近傍に位置するように配置して、横幅の節約を行うも、該子扉開口２３端に装飾モール５を配置したことによって、子扉付き鋼製ドアＡとしての外観、安全性、室外側にあっては更に防犯性を確保して、使い勝手のよいものとすることができる。このとき、上記室内外２枚のドア鋼板４からの矩形鋼板４１、４３による被覆は、親扉２における子扉開口２３内周の見込面を除外して行なったものとするも、該見込面は、本例にあって親扉２の子扉開口２３の内周を区画するように骨材２１を配置したことによって、該骨材２１がその内周を化粧した如き納まりとなるから、該子扉開口２３内周は、そもそも室外側から目視し得ないし、室内側から目視し得るとはいえ、該見込面の被覆除外が、室内側の外観を損なうこともない。
【００５０】
図中２６は、親扉２の開閉用にドア枠１との間に配置した親扉２のヒンジ、３３は子扉３の開閉用に親扉２の子扉開口２３との間に配置した子扉２のヒンジを示す。
【００５１】
図示した例は以上のとおりとしたが、親扉とドア枠間の気密材を、親扉に配置したものとすること、親扉の子扉開口と子扉の気密材を、子扉に配置したものとすること、子扉の室外側見付面に続く見込面の全部又は一部の被覆を行うようにドア鋼板の加工による板取りを行うように規格鋼板と被覆の調整を行うこと、装飾モールを用いるとき、その長手方向端部における子扉開口のコーナー位置で該端部をコーナーキャップで被覆して、装飾モール５の留め接合の鋭角部分露出による危険性を解消すること、ヒンジをオートヒンジとすること等を含めて、本発明の実施に当って、子扉付鋼製ドア、その親扉、子扉、ドア鋼板、必要に応じて用いる装飾モール等の各具体的形状、構造、材質、これらの関係、これらに対する付加等は、上記発明の要旨に反しない限り様々な形態のものとすることができる。
【符号の説明】
【００５２】
Ａ  子扉付き鋼製ドア
１  ドア枠
１１  気密材
２  親扉
２１  骨材
２２  充填材
２３  子扉開口
２４  気密材受条
２５  気密材
２６  ヒンジ
３  子扉
３１  骨材
３２  充填材
３３  ヒンジ
４  ドア鋼板
４１  親扉室外側用矩形鋼板
４２  子扉室外側用矩形鋼板
４３  親扉室内側用矩形鋼板
４４  子扉室内側用矩形鋼板
４５  子扉開口
４６  見込面被覆片
５  装飾モール
５１  鋼板受入段部
【図１】
0005489371.tif 000002
【図２】
0005489371.tif 000003
【図３】
0005489371.tif 000004
【図４】
0005489371.tif 000005
【図５】
0005489371.tif 000006
【図６】
0005489371.tif 000007
【図７】
0005489371.tif 000008